(57)【特許請求の範囲】
【請求項１】
冷却媒体を循環させるための循環路を備えた胴着の構造であって、  展開すると、略中心に頭部穴が形成された略長方形とされ、  前記頭部穴を基準に長手方向一方側が前身頃、他方側が後身頃に相当する部位となり、  前記前身頃及び後身頃の一方には、第１の連結部材が設けられ、  前記前身頃及び後身頃の他方には、前記第１の連結部材に対応して連結可能な第２の連結部材が設けられ、  前記前身頃及び後身頃のいずれにも、前記循環路が配置され、 前記前身頃が、左右２つのエリアに分割され且つ当該分割されたエリア毎に前記循環路が配置され、 前記循環路は、前記冷却媒体の出入り口が備わる一方側エリアを基点として、前記左右２つのエリアの前身頃と前記後身頃を繋ぐ前記頭部穴の左右部分である２つの肩部を介して他方側エリアへの循環と後身頃への循環が独立して行われるものであって、  前記他方側エリアへの循環は前記２つの肩部を介し、前記後身頃側への循環は前記２つの肩部のうち前記一方側エリアの前身頃と前記後身頃を繋ぐ肩部のみを介すると共に、  前記循環路における前記冷却媒体の出入り口が、前記左右２つのエリアの一方側の下縁部となるように構成され、  前記冷却媒体の出入り口が備わる一方側エリアにおいては前記出入り口から前記肩部側に向かって上方に、前記他方側エリアに向かう循環路と前記後身頃へ向かう循環路がそれぞれ並列して配置され、  前記他方側エリア及び前記後身頃においてはそれぞれ前記肩部側から下方に向かい、次いで、それぞれ前記肩部側へ上方に向かう往復を複数回行うように配置され、  前記冷却媒体の出入り口が備わる一方側エリアにおいては、更に、前記肩部側から前記出入り口に向かって下方に、前記他方側エリアから戻る循環路と前記後身頃から戻る循環路が、それぞれ並列して配置されている  ことを特徴とする液体循環式冷却胴着構造。
【請求項２】
請求項１において、
前記冷却媒体の出入り口は、左前身頃に備わる
ことを特徴とする液体循環式冷却胴着構造。
【発明の詳細な説明】
【技術分野】
【０００１】
本発明は、人体にとって高温となる環境下において使用する冷却衣服であって、特に詳しくは、液体循環式の冷却胴着に関する。
【背景技術】
【０００２】
従来から、液体を循環させる循環路を配置して、身体を温めたり冷やしたりすることができる衣服は公知である（特許文献１を参照）。
【先行技術文献】
【特許文献】
【０００３】
【特許文献１】特開２００２−５８６９４号公報
【発明の概要】
【発明が解決しようとする課題】
【０００４】
特許文献１に記載の発明は、全体を満遍なく冷却・加熱するべく左右独立した循環路の構成となっており、それに伴い、冷媒の出入り口が身体の中心に位置している。
【０００５】
しかしながら、実際に作業などで使用する場合、冷媒の出入り口が身体の中心位置にあるのは非常に邪魔となる。例えば、作業車を運転するような場合、足操作の邪魔となったり、座った際に腰に当たって適切なシートポジションを取ることができない。また、冷却源の配置のし易さという観点からも決して望ましいものではない。
【０００６】
また、特許文献１に記載の発明では、循環路を単純に左右独立として全体を満遍なく冷やすことを目指しているものであるが、本当に厳しい環境下においては、このような構成は決して優れた人体の冷却効果を発揮できるものではない。
【０００７】
そこで本発明は、こういった問題点を解決するべくなされたものであって、冷媒の出入り口が作業の邪魔になり難く、冷却源との接続を行い易くすると共に、更に、特定の部位を優先的に冷却することができる液体循環式冷却胴着構造を提供する事をその課題としている。
【課題を解決するための手段】
【０００８】
上記課題を解決するべく、本願発明は、冷却媒体を循環させるための循環路を備えた胴着の構造であって、展開すると、略中心に頭部穴が形成された略長方形とされ、前記頭部穴を基準に長手方向一方側が前身頃、他方側が後身頃に相当する部位となり、前記前身頃及び後身頃の一方には、第１の連結部材が設けられ、前記前身頃及び後身頃の他方には、前記第１の連結部材に対応して連結可能な第２の連結部材が設けられ、前記前身頃及び後身頃のいずれにも、前記循環路が配置され、少なくとも前記前身頃または後身頃の一方が、左右２つのエリアに分割され且つ当該分割されたエリア毎に前記循環路が配置され、前記循環路における前記冷却媒体の出入り口が、前記左右２つのエリアの一方側となるように構成されることを特徴とする。
【０００９】
このように構成したことによって、冷却媒体の出入り口が作業の邪魔となり難い。また、冷却媒体の出入り口が左右いずれかに偏ることによって、胴着全体の均一な冷却が却ってできなくなってしまうが、本発明は意図的にそれを利用して特定の部位をより積極的に冷却することを可能としているのである。
【００１０】
また、前記前身頃と後身頃を繋ぐ２つの肩部の一方には、前記左右２つのエリアのうち一方側と他方側とを繋ぐための循環路のみ配置されることを特徴とする。
【００１１】
即ち、前記他方側のエリアには、冷却媒体の出入り口が備わる一方側のエリアから直接循環路が繋がっているのであって、冷却媒体の出入り口が備わる側の身頃と反対側の身頃を介して冷却媒体が循環しないため、高い冷却効率を維持すると共に、必然的に首周りに低い温度の冷却媒体を優先的に循環させることが可能となっている。
【００１２】
また、前記循環路は、前記冷却媒体の出入り口が備わる一方側エリアを基点として、他方側エリアへの循環と当該出入り口が備わる反対側の身頃側への循環とが独立して行われることを特徴とする。
【００１３】
このような構成を採用したことによって、「冷却媒体の出入り口が備わるエリアと他方側エリア」及び「出入り口が備わる側の身頃とは反対側の身頃」の冷却も迅速に行うことが可能となっている。
【００１４】
また、前記冷却媒体の出入り口は、左前身頃に備わることを特徴とする。
【００１５】
このような構成を採用したことによって、心臓周辺及びその近傍に位置する血管を効率的に冷却して、結果として体全体の冷却を効果的に行うのである。
【００１６】
また、前記左右２つのエリアの境界がファスナにより分離可能とされていることを特徴とする。
【００１７】
このような構成を採用したことによって、着脱し易く、また、連結部材の調整によって体にフィットさせた状態を崩す事なく繰り返しの着脱を可能としている。
【発明の効果】
【００１８】
本発明を適用することで、冷媒の出入り口が作業の邪魔になり難く、冷却源との接続を行い易くすると共に、更に、特定の部位を優先的に冷却することができる液体循環式冷却胴着構造を提供することができる。
【図面の簡単な説明】
【００１９】
【図１】本発明の実施形態の一例である液体循環式冷却胴着を利用した冷却システムの概略全体構成図である。
【図２】本発明の実施形態の一例である液体循環式冷却胴着の正面図である。
【図３】同正面側のファスナを外して前身頃を左右に分離した状態を示した状態の正面図である。
【図４】サイドの面ファスナ（連結部材）を外して、前身頃と後身頃を展開した状態の内側面（身体側）を示した図である。
【図５】サイドの面ファスナ（連結部材）を外して、前身頃と後身頃を展開した状態の外側面を示した図である。
【図６】図２の状態における循環路の経路を概略的に示した図である。
【図７】循環路の配置構造を示した図であって、図４におけるＡ−Ａ線に沿った断面のうち一の循環路のみを示した図である。
【図８】図７における矢視α方向から見た循環路とメッシュ素材の位置関係を示した図である。
【発明を実施するための形態】
【００２０】
以下、添付図面を参照しつつ、本発明の実施形態の一例である液体循環式冷却胴着１００及びその構造について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２１】
〈液体循環式冷却胴着の構成〉
液体循環式冷却胴着１００は、図１に示している通り、冷却システム１０の一部として機能する。冷却システム１０は、液体循環式冷却胴着１００と、循環ポンプ２００及び冷却源３００により構成される。冷却源３００は様々な種類及び形態のものを利用することが可能であり、用途に応じて付け替えて利用することが可能である。例えば、クーラーボックスの中に氷を入れたもの、それをリュック型やバッグ型に構成したものやボトル型に構成したもの、更には、ラジエターとファンを内蔵した熱交換装置（チラー）等が利用でき、自由に付け替えて利用できる。
【００２２】
なお、循環ポンプ２００は必ずしも独立して構成されている必要はなく、冷却源３００と一体化されていてもよい。
【００２３】
図２〜図３に示している通り、液体循環式冷却胴着１００は、所謂「ベスト型」に構成されている。前身頃１０２と後身頃１０４の両方に冷却媒体を循環させるための循環路１０８が配置されており、前身頃１０２はファスナ１１０により左右に分離可能となっている。
【００２４】
また、両脇下にはそれぞれ面ファスナを利用した連結部材１０６が備わっており、前身頃１０２と後身頃１０４の間隔を調整し、当該胴着１００を装着者の体にフィットさせることが可能となっている。
【００２５】
なお、符号１１４は、循環路１０８の出入り口であり、先端に備わるコネクタによって、循環ポンプ２００や冷却源３００に繋がる管路（図示していない）に接続可能となっている。
【００２６】
図４〜図５に示している通り、両脇下の連結部材１０６の連結を解けば、前身頃１０２と後身頃１０４は１枚の矩形シート状に展開可能である。略中心に頭部穴１１６が存在し、その頭部穴１１６の左右にも循環路１０８が配置されている。
【００２７】
また、連結部材１０６は、後身頃１０４側に取り付けられた面ファスナ雄（第１の連結部材）１０７と、前身頃１０２の表面に取り付けられた面ファスナ雌（第２の連結部材）１０５との着脱によって連結及び調整が実現される。
【００２８】
図６に示しているように、本発明の実施形態の一例として示した液体循環式冷却胴着１００においては、循環路１０８は４つ独立したものが並列配置されている。左前身頃１０２から入った４つの循環路は、そのうち２つ（経路１、経路２）が首裏を介して右側の前身頃を循環している。残りの２つの循環路（経路３、経路４）は、後身頃１０４側を循環している。
【００２９】
また、前身頃１０２及び後身頃１０４を含む液体循環式冷却胴着１００全体は、２枚のメッシュ素材１３０、１３１を重ねてその周囲を縫製し、その間に循環路１０８を配置構成している。
【００３０】
図７に示しているように、循環路１０８は、２枚のメッシュ素材１３０、１３１のうち、内側（人体側）のメッシュ素材１３１に固定される。更に、循環路１０８のほぼ全体がメッシュ素材１３１に取り囲まれるように（埋め込まれるように）配置され、左右を繋ぐ糸１２１によって固定されている。
【００３１】
〈液体循環式冷却胴着の作用・機能〉
液体循環式冷却胴着１００では、展開すると、略中心に頭部穴１１６が形成された略長方形とされ、頭部穴１１６を基準に長手方向一方側が前身頃１０２、他方側が後身頃１０４に相当する部位となり、前身頃１０２及び後身頃１０４のいずれにも、循環路１０８が配置され、前身頃１０２が、左右２つのエリアに分割され且つ当該分割されたエリア毎に循環路１０８が配置され、循環路１０８における冷却媒体の出入り口１１４が、左右２つのエリアの一方側となるように構成されていた。
【００３２】
このように構成したことによって、冷却媒体の出入り口１１４が作業の邪魔となり難い。また、冷却媒体の出入り口１１４が左右いずれかに偏ることによって、胴着１００全体の均一な冷却が却ってできなくなってしまうが、本発明は意図的にそれを利用して特定の部位をより積極的に冷却することを可能としているのである。
【００３３】
また、前身頃１０２と後身頃１０４を繋ぐ２つの肩部（図４及び図５における頭部穴１１６の左右部分）の一方には、分割された左右２つのエリアのうち一方側と他方側とを繋ぐための循環路１０８のみ（経路１、経路２）配置されていた。
【００３４】
即ち、他方側のエリア（右前身頃）には、冷却媒体の出入り口１１４が備わる一方側のエリア（左前身頃）から直接循環路が繋がっているのであって、冷却媒体の出入り口１１４が備わる側の身頃（前身頃）と反対側の身頃(後身頃)を介して冷却媒体が循環しないため、高い冷却効率を維持すると共に、必然的に首周りに低い温度の冷却媒体を優先的に循環させることが可能となっている。
【００３５】
また、循環路１０８は、冷却媒体の出入り口１１４が備わる一方側エリア（左前身頃）を基点として、他方側エリア（右前身頃）への循環と当該出入り口１１４が備わる反対側の身頃（後身頃）側への循環とが独立して行われていた。
【００３６】
このような構成を採用したことによって、「冷却媒体の出入り口１１４が備わるエリアと他方側エリア」及び「出入り口が備わる側の身頃とは反対側の身頃」の冷却も迅速に行うことが可能となっている。
【００３７】
また、冷却媒体の出入り口１１４は、左前身頃に備わっていた。
【００３８】
このような構成を採用したことによって、心臓周辺及びその近傍に位置する血管を効率的に冷却して、結果として体全体の冷却を効果的に行うことができるのである。
【００３９】
また、左右２つのエリア（前身頃）の境界がファスナ１１０により分離可能とされていた。
【００４０】
このような構成を採用したことによって、着脱し易く、また、連結部材１０６の調整によって体にフィットさせた状態を崩す事なく繰り返しの着脱を可能としている。
【符号の説明】
【００４１】
１０・・・冷却システム
１００・・・液体循環式冷却胴着
１０２・・・前身頃
１０４・・・後身頃
１０８・・・循環路
１０５・・・面ファスナ（雌）
１０６・・・連結部材
１０７・・・面ファスナ雄
１１０・・・ファスナ
１１４・・・（循環路の）出入り口
１１６・・・頭部穴
１２１・・・糸
１３１・・・メッシュ素材
２００・・・循環ポンプ
３００・・・冷却源
【要約】
【課題】
冷媒の出入り口が作業の邪魔になり難く、冷却源との接続を行い易くすると共に、更に、特定の部位を優先的に冷却することができる液体循環式冷却胴着構造を提供する。
【解決手段】
展開すると、略中心に頭部穴１１６が形成された略長方形とされ、頭部穴１１６を基準に長手方向一方側が前身頃１０２、他方側が後身頃１０４に相当する部位となり、前身頃１０２及び後身頃１０４のいずれにも、１０８循環路が配置され、少なくとも前身頃１０２または後身頃１０４の一方が、左右２つのエリアに分割され且つ当該分割されたエリア毎に循環路１０８が配置され、循環路１０８における冷却媒体の出入り口１１４が、分割した左右２つのエリアの一方側となるように構成する。
【選択図】図６【図１】
0006653914.tif 000002
【図２】
0006653914.tif 000003
【図３】
0006653914.tif 000004
【図４】
0006653914.tif 000005
【図５】
0006653914.tif 000006
【図６】
0006653914.tif 000007
【図７】
0006653914.tif 000008
【図８】
0006653914.tif 000009